(57)【特許請求の範囲】
【請求項１】
長尺の帯状熱可塑性フイルムをガゼット工程に送り出し、袋の底部フイルム１の幅に相当する両側平行線上を帯の中央部方向に第１折り目Ａ、Ａ'で折り返し、該第１折り目Ａ、Ａ'で折り返された第１折り返しフイルム２、２'を中央部近くで第２折り目Ｂ、Ｂ'で外側に折り返して、該第２折り目Ｂ、Ｂ'で折り返された第２折り返しフイルム３、３'の両側縁を手提げ折り目Ｔ、Ｔ'で再度折り返して、第１折り目Ａ、Ａ'を越えた位置に、手提げ２重フイルム部Ｄ、Ｄ'とする折り畳み帯状フイルムを形成し、次いで、手提げ用２重フイルム側縁打ち抜き工程にワンピッチ移動で折り畳まれた帯状フイルムを底部フイルム１を上にして送り出し、手提げ用２重フイルムの手提げ折り目Ｔ、Ｔ'の側縁をコの字型に打ち抜き、次に、溶断工程に同じくワンピッチ移動で送り出し、該溶断工程は第１溶断部及び第２溶断部からなり、両溶断部とも受けプレートとＬ字型の熱刃により構成され、第１溶断部では第１折り返しフイルム２、２'と第２折り返しフイルム３、３'の間を第２折り目Ｂ、Ｂ'まで受けプレート台を挿入した状態にワンピッチ移動で移送されて静止している前記側縁打ち抜き部の中央部に、袋体底部フイルムの面の上から略直角に屈曲したＬ字型溶断刃の頂角を第２折り目Ｂ、Ｂ'にほぼ接するように、該折り目線に対して両熱刃が略４５度の角度にして押し付けて、底部フイルムと第１折り返しフイルム２、２'の２重部分を略直角三角形状に切り取るとともに溶着して、ワンピッチ移動による一定間隔毎に該切り取り部分を折り畳み帯状フイルムの第１折り目の両側に底部溶着線Ｈ、Ｈ’をそれぞれ形成して、一方、第２溶断部は第１溶断工程の溶断部と同じ位置の手提げ用２重フイルムを手提げ受けプレート台の上で該２重フイルムの手提げ折り目Ｔ、Ｔ'の側縁から第２折り返しフイルムの縦縁７、７’にかけて、Ｌ字型熱刃を４５度の角度で押し当てて、底部溶着線Ｈ、Ｈ’の外側に手提げ溶着線Ｅを形成して２重フイルム部を溶着しながら直角三角形状に切り取り手提げ部分を形成し、切断工程にワンピッチ移動で移送して前記切り取り部分の頂点の位置で折り畳み帯状フイルムを切断することを特徴とする縦長型物品用手提げ袋の製造方法。
【請求項２】
第１溶断部及び第２溶断部の少なくとも一つを、同一形状のＬ字ヒートシール用熱刃によるＬ字型溶着とそのＬ字型溶着部の近くに沿って機械的打ち抜き切断による溶着切り取り工程に置換した請求項１記載の縦長型物品用手提げ袋の製造方法。
【請求項３】
第２折り目Ｂ、Ｂ'の折り曲げ工程と手提げ折り目Ｔ、Ｔ'の折り曲げ工程の間に、第１折り目Ａ、Ａ'の位置上及び第２折り目Ｂ、Ｂ'の位置上で再度折り曲げる工程を１〜３回繰り返して折り畳み帯状フイルムを形成することを特徴とする請求項１又は請求項２記載の縦長型物品用手提げ袋の製造方法。
【請求項４】
折り畳まれた状態で、底部フイルム１の両側から第１折り目Ａ、Ａ'で折り返された第１折り返しフイルム２、２'が底部フイルム１の中央近くの第２折り目Ｂ、Ｂ'で折り返され、第２折り目で折り返された第２折り返しフイルムの両側を再度手提げ折り目Ｔ、Ｔ'で折り返して手提げ２重フイルム部Ｄ、Ｄ'を第１折り目Ａ、Ａ'の位置より外側に形成されてなり、該２重フイルムの手提げ折り目Ｔ、Ｔ'の側縁から第２折り返しフイルムの縦縁７にかけて、中央に向かって広がる略４５度の２対の手提げ溶着線Ｅで溶着して、手提げ折り目Ｔ、Ｔ'の側縁を打ち欠いて手提げテープ５、５'を分離させて形成された手提げ部を有し、また、第１折り目Ａ、Ａ'から第２折り目Ｂ、Ｂ'と底部フイルム１の交点Ｆ、Ｆ'、Ｇ、Ｇ'に略４５度の角度で中央に広がる４本の底部溶着線Ｈ、Ｈ'、Ｊ、Ｊ'で溶着して形成される底部と第２折り返しフイルムで形成される横側面とからなる袋体部を有することを特徴とする縦長型物品用手提げ袋。
【請求項５】
４本の底部溶着線が溶断によって形成されている請求項４記載の縦長型物品用手提げ袋。
【請求項６】
４本の底部溶着線又は２対の手提げ溶着線の少なくともいずれか一方がヒートシールによる溶着線であって、該ヒートシール溶着線の外側に沿って機械的に切断した２重フイルム残片Ｒが残されている請求項４記載の縦長型物品用手提げ袋。
【請求項７】
４本の底部溶着線又は２対の手提げ溶着線の少なくともいずれか一方の中央よりの端部が中央に向かって広がり方向に湾曲させて溶着部の該端部の強度を増大させた請求項４、請求項５又は請求項６記載の縦長型物品用手提げ袋。
【発明の詳細な説明】
【０００１】
【発明の属する技術分野】
本発明は、縦長形状の品物を入れるのに適したプラスチック製手提げ袋に関する。
【０００２】
【従来の技術】
従来より、プラスチックフイルム製手提げ袋は、安価で軽量簡便なため大量に使用されてるが、例えば、鉢植え植木、造花、縦長の置物、装飾品、瓶類などにおいて、横倒しにして持ち運ぶのが困難な品物に用いる手提げ袋は存在しない。従来は、そのような品物をもち運ぶには、風呂敷が専ら用いられているが、固定が困難であり、持ち運ぶ途中でほどけるなどの不便があった。また、筒状の長い袋体を使用すると、縦長型物品を収納するときに袋の側面フイルムに引っ掛かり不便であった。
【０００３】
【発明が解決しようとする課題】
本発明は、プラスチックフイルム製縦長型物品用手提げ袋であって、連続製造に適した丈夫な縦長型物品用手提げ袋を提供することを目的としてなされたものである。
【０００４】
【課題を解決するための手段】
本発明は、次の各項よりなる縦長型物品用手提げ袋及びその製造方法を提供するものである。
（１）長尺の帯状熱可塑性フイルムをガゼット工程に送り出し、袋の底部フイルム１の幅に相当する両側平行線上を帯の中央部方向に第１折り目Ａ、Ａ'で折り返し、該第１折り目Ａ、Ａ'で折り返された第１折り返しフイルム２、２'を中央部近くで第２折り目Ｂ、Ｂ'で外側に折り返して、該第２折り目Ｂ、Ｂ'で折り返された第２折り返しフイルム３、３'の両側縁を手提げ折り目Ｔ、Ｔ'で再度折り返して、第１折り目Ａ、Ａ'を越えた位置に、手提げ２重フイルム部Ｄ、Ｄ'とする折り畳み帯状フイルムを形成し、次いで、手提げ用２重フイルム側縁打ち抜き工程にワンピッチ移動で折り畳まれた帯状フイルムを底部フイルム１を上にして送り出し、手提げ用２重フイルムの手提げ折り目Ｔ、Ｔ'の側縁をコの字型に打ち抜き、次に、溶断工程に同じくワンピッチ移動で送り出し、該溶断工程は第１溶断部及び第２溶断部からなり、両溶断部とも受けプレートとＬ字型の熱刃により構成され、第１溶断部では第１折り返しフイルム２、２'と第２折り返しフイルム３、３'の間を第２折り目Ｂ、Ｂ'まで受けプレート台を挿入した状態にワンピッチ移動で移送されて静止している前記側縁打ち抜き部の中央部に、袋体底部フイルムの面の上から略直角に屈曲したＬ字型溶断刃の頂角を第２折り目Ｂ、Ｂ'にほぼ接するように、該折り目線に対して両熱刃が略４５度の角度にして押し付けて、底部フイルムと第１折り返しフイルム２、２'の２重部分を略直角三角形状に切り取るとともに溶着して、ワンピッチ移動による一定間隔毎に該切り取り部分を折り畳み帯状フイルムの第１折り目の両側に底部溶着線Ｈ、Ｈ’をそれぞれ形成して、一方、第２溶断部は第１溶断工程の溶断部と同じ位置の手提げ用２重フイルムを手提げ受けプレート台の上で該２重フイルムの手提げ折り目Ｔ、Ｔ'の側縁から第２折り返しフイルムの縦縁７、７’にかけて、Ｌ字型熱刃を４５度の角度で押し当てて、底部溶着線Ｈ、Ｈ’の外側に手提げ溶着線Ｅを形成して２重フイルム部を溶着しながら直角三角形状に切り取り手提げ部分を形成し、切断工程にワンピッチ移動で移送して前記切り取り部分の頂点の位置で折り畳み帯状フイルムを切断することを特徴とする縦長型物品用手提げ袋の製造方法。
（２）第１溶断部及び第２溶断部の少なくとも一つを、同一形状のＬ字ヒートシール用熱刃によるＬ字型溶着とそのＬ字型溶着部の近くに沿って機械的打ち抜き切断による溶着切り取り工程によって置換した項１記載の縦長型物品用手提げ袋の製造方法。
（３）第２折り目Ｂ、Ｂ'の折り曲げ工程と手提げ折り目Ｔ、Ｔ'の折り曲げ工程の間に、第１折り目Ａ、Ａ'の位置上及び第２折り目Ｂ、Ｂ'の位置上で再度折り曲げる工程を１〜３回繰り返して折り畳み帯状フイルムを形成することを特徴とする項１又は項２記載の縦長型物品用手提げ袋の製造方法。
（４）折り畳まれた状態で、底部フイルム１の両側から第１折り目Ａ、Ａ'で折り返された第１折り返しフイルム２、２'が底部フイルム１の中央近くの第２折り目Ｂ、Ｂ'で折り返され、第２折り目で折り返された第２折り返しフイルムの両側を再度手提げ折り目Ｔ、Ｔ'で折り返して手提げ２重フイルム部Ｄ、Ｄ'を第１折り目Ａ、Ａ'の位置より外側に形成されてなり、該２重フイルムの手提げ折り目Ｔ、Ｔ'の側縁から第２折り返しフイルムの縦縁７にかけて、中央に向かって広がる略４５度の２対の手提げ溶着線Ｅで溶着して、手提げ折り目Ｔ、Ｔ'の側縁を打ち欠いて手提げテープ５、５'を分離させて形成された手提げ部を有し、また、第１折り目Ａ、Ａ'から第２折り目Ｂ、Ｂ'と底部フイルム１の交点Ｆ、Ｆ'、Ｇ、Ｇ'に略４５度の角度で中央に広がる４本の底部溶着線Ｈ、Ｈ'、Ｊ、Ｊ'で溶着して形成される底部と第２折り返しフイルムで形成される横側面とからなる袋体部を有することを特徴とする縦長型物品用手提げ袋。
（５）４本の底部溶着線が溶断によって形成されている項４記載の縦長型物品用手提げ袋。
（６）４本の底部溶着線又は２対の手提げ溶着線のいずれか少なくとも一方がヒートシールによる溶着であって、該ヒートシール溶着線の外側に沿って機械的に切断した２重フイルム残片Ｒが残されている項４記載の縦長型物品用手提げ袋。
（７）４本の底部溶着線又は２対の手提げ溶着線の少なくともいずれか一方の中央よりの端部が中央に向かって広がり方向に湾曲させて溶着部の該端部の強度を増大させた項４、項５又は項６記載の縦長型物品用手提げ袋。
【０００５】
【発明の実施の形態】
以下、図面により本発明の実施の形態を詳細に説明する。
本発明縦長型物品用手提げ袋は、図１、２、３及び４の構造よりなる。
図１は、本発明プラスチックフイルム製縦長型物品用手提げ袋を表側から見た平面図であり、上から直接見えない部分は点線で示されている。図１の水平断面Ｘで切断したときの断面構造は図２の線で示されている。
また、図３には同一の袋の裏面図が示され、裏面からは底部フイルム１の８角形が示されているが、第１折り目Ａ、Ａ'は底部フイルム１の裏側になるので、点線で示されている。図４はＹの位置の断面図であり、手提げ２重フイルム部Ｄ、Ｄ'が連続している。この図４は本発明縦長型物品用手提げ袋製造方法におけるガゼット工程で形成する折り畳み帯状フイルムの断面構造とも一致する。
本発明に用いるプラスチックフイルムは薄いので図２及び図３はフイルムの断面構造を簡明のため単なる線で示している。本発明に用いるプラスチックフイルムは熱可塑性樹脂、例えばポプロピレン、ポリエチレン、ナイロン、ポリエステル等のフイルムを使用することができる。特に、熱加工性の点でポリオレフィン樹脂フイルムが望ましい。
底部フイルム１の両側の第１折り目Ａ、Ａ'で折り返した該第１折り目Ａ、Ａ'から第２折り目Ｂ、Ｂ'までの間の第１折り返しフイルム２、２'と底部フイルム１によって、本発明手提げ袋の底部が構成される。図１の第１折り目Ａ、Ａ'は、底部フイルム１の袋体の底部の幅の位置と一致し、この第１折り目Ａ、Ａ'側縁から第２折り目Ｂ、Ｂ'と底部フイルム１の縁との交点Ｆ、Ｆ'、Ｇ、Ｇ'に向かう約４５度傾斜した４本の底部溶着線Ｈ、Ｈ'、Ｊ、Ｊ'で、第１折り返しフイルム２、２'と底部フイルム１とを溶着して、角底構造を形成している。第１折り返しフイルム２、２'と底部フイルム１と４本の底部溶着線で本発明手提げ袋の角底部分が形成される。このことは図５の本発明の角底部分だけの斜視図の各部の符号と図１〜４の符号を照合すると明らかである。
この図５の角底構造の底面の形状及び深さは、収納すべき縦長型物品の底部の形状に併せて、正方形又は矩形になるよう第１折り目の位置及び底部フイルム１の縦の長さを選択することによって適宜変更できる。
本発明手提げ袋は、第２折り目Ｂ、Ｂ'に、第２折り返しフイルム３、３'が一体的に連続している。この第２折り返しフイルム３、３'の長さは収納すべき物品の高さに対応して長くすることができる。
第２折り返しフイルム３、３'は図５の第２折り目Ｂ、Ｂ'の上に連続する構造となり、図６に示すように、底部フイルム１の部分の上部分が矩形状に欠如して袋体物品の側面にスリットを形成した構造になる。このスリットの幅は、第２折り目Ｂ、Ｂ'が底部フイルム１の中央部に近くなると狭くなり、中央で両方の第２折り目Ｂ、Ｂ'が接するときは、スリットの幅はなくなる。縦長型物品の形状によって、第２折り目Ｂ、Ｂ'の位置を選択して、スリットの幅を調節することができる。
【０００６】
本発明手提げ袋の袋体部分は、図６の第２折り返しフイルム３、３'が図５の角底構造につながった構造となる。縦長型物品の底部は角底によって、周縁が安定して固定され、また、底部フイルム１の上のスリット部分を除き縦長型物品の側面の大部分は第２折り返しフイルム３、３'によって包み込まれ、縦長型物品全体が安定に包装保持できる。
第２折り返しフイルム３、３'の端に設けた手提げ２重フイルム部Ｄ、Ｄ'を図１及び図３の４箇所の手提げ溶着線Ｅを溶着して、さらに、該溶着線の間で手提げ折り目Ｔ、Ｔ'を打ち欠いて、手提げテープ５を分離形成してある。
この手提げ２重フイルム部Ｄ、Ｄ'が図６の第２折り返しフイルム３、３'の先端に連続して図６の全体の手提げ袋の斜視図のように手で吊り下げることができる。
このとき、手提げテープ５、５'を収納された縦長型物品の真上でまとめて指で吊り手げることができる。
また、縦長型物品が特に長い場合は、第２折り返しフイルム３、３'の長さを長くすれば、どのような長い物品でも収納することができる。このように長くする場合は、図７の断面図のように第２折り返しフイルム３、３'を１〜３回折り畳む構造にすると保存に便利である。また、図７の断面構造はこのような第２折り返しフイルムの長い手提げ袋を製造するときの折り畳み帯状フイルムの断面と一致する。
この第２折り返しフイルム３、３'の先端は、手提げ折り目Ｔ、Ｔ'で折り返して手提げ２重フイルム部Ｄ、Ｄ'を形成する。この手提げ２重フイルム部Ｄ、Ｄ'は、第１折り目Ａ、Ａ'より外側に離れた位置に形成されている。第１折り目Ａ、Ａ'より外側にあることによって、縦長型物品を収納した場合の側面部を長くするとともに、製造工程において、第１折り目部分に邪魔されることなく、手提げ部分の手提げテープの溶着工程及び手提げ折り目Ｔ、Ｔ'の打ち欠き工程を施工できるので便利である。
本発明の底部溶着線及び手提げ溶着線は、溶着と切断を同時に施工した溶断による溶着線にすることができるが、特に収納される縦長型物品が重い場合は、溶着線が重量で破断しないためには、一旦、熱刃を押し当てたヒートシール溶着線を形成したのち、その外側を機械的に切断して、図８のように、ヒートシール融着線の外側に２重フイルム残片Ｒを残す方が望ましい。この場合、底部溶着線Ｈ、Ｈ'、Ｊ、Ｊ'又は手提げ部分溶着線の４箇所の手提げ溶着線Ｅのいずれか又は両方ともヒートシール融着とその外側の機械的切断にすることができる。この場合のヒートシールはヒートシールの幅は、１mm以上、望ましくは２mm以上の幅でヒートシールするのが強度の点から望ましい。
加工の簡便さからは、溶断工程で溶着と切断を同時に実行するのが望ましいが、本発明においては、収納物品が縦長で底部又は手提げテープにかかる荷重が大きくなるので、溶断溶着線の位置から破断する恐れがある。このような場合に、一旦ヒートシールしてからその外側を機械的に切断すると、加工の手間は２重にかかるが溶着線の強度は飛躍的に増大する。
さらに、４本の底部溶着線Ｈ、Ｈ'、Ｊ、Ｊ'又は２対の手提げ溶着線Ｅの中央部よりの溶着線湾曲端部Ｐを図９のように中央に向かって広がる湾曲形状にするのが望ましい。この湾曲形状にすることによって、図１０に示すように、吊り下げたときに底部溶着線の端部にかかる力が端部に集中するのを回避でき袋の強度が増大する。また、手提げ溶着線も同様の作用効果が存在する。その上に、端部の湾曲形状によって、本発明縦長型物品用手提げ袋の製造の切断工程で、２mm程度の誤差が生じて縦長型物品用手提げ袋の形状の乱れは発生しないので、製造上の利点も効果的である。
【０００７】
本発明縦長型物品用手提げ袋は、溶着線の外側の２重フイルム残片Ｒ及び溶着線端部の湾曲構造によって、非常に重い縦長型物品、例えば鉢植えの土付き植木のような重いものであっても、本発明の縦長型物品用手提げ袋の溶着線から破断する危険を防止することができる。
本発明製造方法は、例えば図１１の工程図によって行うことができる。まず、長尺の帯状フイルムをガゼット折り工程に送り込み、常法によって、図４（又は図７）の断面構造のガゼット折りを形成する。
次いで、手提げ部の折り目側縁の打ち欠き台にワンピッチ移動で送り出し、手提げ折り目Ｔ、Ｔ'を図１の手提げ２重フイルム部Ｄ、Ｄ'の位置に相当する一定間隔でコの字型に打ち欠いて、図１及び図２の手提げテープ５、５'を第２折り返しフイルム３、３'の側縁から分離する。この打ち欠き工程の前後又は同時に、二つの溶着工程を同時又は順次実施する。
本発明製造方法では、溶着工程は、溶断工程によって、溶着と切断を同時に行う態様と、単に加熱体を押し付けてヒートシールしてから、その溶着線の外側に沿って機械的に切断する方法と２種の態様がある。工程としては、溶断工程の方が簡単であるが、重量の大きい物品を収納して手提げするときは、後者のヒートシールによる溶着線の外側を機械的に切断した方が望ましい。
本発明製造方法を溶断溶着の態様について、説明すると、底部受けプレート台Ｍ、Ｍ'と上下２個のＬ字型に直角に交差した熱刃（図示していない）により構成された第１溶断部では第１折り返しフイルム２、２'と第２折り返しフイルム３、３'の間を第２折り目Ｂまで底部受けプレート台Ｍ、Ｍ'を挿入した状態にワンピッチ移動で移送されて静止している折り畳み帯状フイルムに、袋体底部フイルムの面の上方から降下する略直角に屈曲したＬ字型溶断刃の頂角を第２折り目Ｂ、Ｂ'にほぼ接するように、該折り目線に対して両熱刃が略４５度の角度にして押し付けて、底部フイルムと第１折り返しフイルム２、２'の２重部分を略直角三角形状に切り取るとともに溶着して、ワンピッチ移動による一定間隔毎に該底部側縁切り取り部Ｓ、Ｓ'を折り畳み帯状フイルムの第１折り目の両側に形成する。この場合において、Ｌ字型溶断刃の直角頂点は湾曲している方が前記の通り底部溶着線の端部が湾曲して袋の強度を増大させるので望ましい。
一方、第２溶断部は第１溶断工程の溶断部と同じ位置の手提げ用２重フイルムを手提げ受けプレート台Ｎ、Ｎ'の上で熱刃を当てて同じく２重フイルム部を溶着するとともに手提げ２重フイルム部分を切り取り手提げ部分を形成する。この手提げ部分の熱刃も手提げ２重フイルムの中央部寄りの端の溶着が中央に向かって広がる形状にすると手提げ溶着線Ｅの強度が増大するので非常に望ましい。
ついで、切断工程にワンピッチ移動で移送して前記底部側縁切り取り部分の頂点の位置で折り畳み帯状フイルムを機械的に切断することができる。この切断によって、底部フイルムの縦縁６、６'と第２折り返しフイルム３、３'の第２折り返しフイルムの縦縁７、７'が機械的に切断される。
本発明製造方法のこの態様の二つの溶断工程の第１溶断部及び第２溶断部の少なくとも一つを、同一形状のヒートシール用熱刃による溶着とその溶着線の近くに沿って機械的切断による切り取りを別々に行う工程に変更する態様を適宜採用することができる。
第２折り目Ｂ、Ｂ'の折り曲げ工程と手提げ折り目Ｔ、Ｔ'の折り曲げ工程の間に、第１折り目Ａ、Ａ'の位置上及び第２折り目Ｂ、Ｂ'の位置上で再度折り曲げる工程を１〜３回繰り返して、図７の断面構造の折り畳み帯状フイルムを形成して同様の製造を行えば、第２折り返しフイルムが長い縦長型物品用手提げ袋を製造できる。
本発明手提げ袋は、例えば、図１の真ん中に縦長型物品を直立状に置いて、手提げテープ５、５'を引き上げると第２折り返しフイルム３、３'が縦長型物品の両側を包むように、引き上げられ図６の形で吊り下げることができる。袋体にスリットがあるので縦長型物品と円滑に包み込むことができる。
【０００８】
【発明の効果】
本発明縦長型物品用手提げ袋によって、鉢植え植木、生け花等の縦長型物品を収納及び持ち運ぶのに便利な手提げ袋を提供できる。
また、本発明縦長型物品用手提げ袋の製造方法によって、連続的に効率良く、縦長型物品用手提げ袋を製造することができる。さらに、溶着線をヒートシールとその外側に沿った機械的切断にすることによって、角底部の溶着線及び手提げテープの溶着部の強度を大きくすることができる。
【図面の簡単な説明】
【図１】図１は、本発明縦長型物品用手提げ袋の実施例の平面図である。
【図２】図２は、本発明縦長型物品用手提げ袋の実施例のＸ−Ｘ線断面構造を示す図である。
【図３】図３は、本発明縦長型物品用手提げ袋の実施例の裏面図である。
【図４】図４は、本発明縦長型物品用手提げ袋の実施例の裏面図のＹ−Ｙ線の断面図である。
【図５】図５は、本発明縦長型物品用手提げ袋の実施例の底部だけを切断した説明用斜視図である。
【図６】図６は、本発明縦長型物品用手提げ袋の実施例の使用状態の形状の斜視図である。
【図７】図７は、本発明縦長型物品用手提げ袋の第２折り返しフイルムを長くした場合の断面構造を示す図である。
【図８】図８は、本発明縦長型物品用手提げ袋の溶着部の外側に残片を設けた実施例の裏面図である。
【図９】図９は、本発明縦長型物品用手提げ袋の溶着部の中央寄り端部を湾曲形状にした態様の実施例の裏面図である。
【図１０】図１０は、本発明縦長型物品用手提げ袋の溶着部の中央寄り端部を湾曲形状にした態様の使用状態の斜視図である。
【図１１】図１１は、本発明製造方法の工程を示す説明図である。
【符号の説明】
１  底部フイルム
２、２’第１折り返しフイルム
３、３’第２折り返しフイルム
５、５’手提げテープ
６、６’底部フイルムの縦縁
７、７’第２折り返しフイルムの縦縁
Ａ、Ａ’第１折り目
Ｂ、Ｂ’第２折り目
Ｄ、Ｄ’手提げ２重フイルム部
Ｅ  手提げ溶着線
Ｈ、Ｈ’底部溶着線
Ｊ、Ｊ’底部溶着線
Ｍ、Ｍ’底部受けプレート台
Ｎ、Ｎ’手提げ受けプレート台
Ｐ  溶着線湾曲端部
Ｒ  ２重フイルム残片
Ｓ、Ｓ’底部側縁切り取り部
Ｔ、Ｔ’手提げ折り目
【図１】
0003801244.tif 000002
【図２】
0003801244.tif 000003
【図３】
0003801244.tif 000004
【図４】
0003801244.tif 000005
【図５】
0003801244.tif 000006
【図６】
0003801244.tif 000007
【図７】
0003801244.tif 000008
【図８】
0003801244.tif 000009
【図９】
0003801244.tif 000010
【図１０】
0003801244.tif 000011
【図１１】
0003801244.tif 000012